(57)【特許請求の範囲】
【請求項１】
ノズル開口部を通じて出没可能に設けられ、前方に進出した状態で先端部から洗浄水を吐出させ、局部を洗浄するための局部洗浄ノズルと、
前記ノズル開口部を開閉するためのシャッタ開閉機構とを備え、
前記シャッタ開閉機構が、横方向に延びる軸部及び該軸部から前後方向に延びるアーム部を有し、前記アーム部を前後方向に進退自在に支持して配設されるシャッタアームと、
前記シャッタアームに取り付けられて前記ノズル開口部を正逆回動自在に開閉するシャッタとを備えて構成されていることを特徴とする局部洗浄装置。
【請求項２】
請求項１記載の局部洗浄装置において、
前記シャッタアームに正逆回動自在に取り付けられたシャッタ受けを備え、
前記シャッタ受けが回動するとともに前記シャッタ受けに押圧されて前記シャッタが前記シャッタ受けとともに回動するように構成されている局部洗浄装置。
【請求項３】
請求項２記載の局部洗浄装置において、
軸線を平行に配して前後方向に進退自在に並設した一対のシャッタ操作部材を備え、
前記シャッタ受けの背面に、一方のシャッタ操作部材が前方に進出して当接し、前記シャッタアームを前方に進出させるとともに、前記シャッタ受け及び前記シャッタの背面が下方を向くように前記シャッタ受けを誘導して前記軸部の軸線周りの正方向に回動させる第１当接回動部と、
他方のシャッタ操作部材が前方に進出して当接し、前記シャッタアームを前方に進出させるとともに、前記シャッタ受け及び前記シャッタの背面が上方を向くように前記シャッタ受けを誘導して前記軸部の軸線周りの逆方向に回動させる第２当接回動部とを備えている局部洗浄装置。
【請求項４】
請求項１から請求項３のいずれか一項に記載の局部洗浄装置において、
前記アーム部が、下方に突出するとともに前記アーム部の延設方向の前後方向に延びるリブを備えて形成されている局部洗浄装置。
【請求項５】
請求項１から請求項４のいずれか一項に記載の局部洗浄装置において、
前記アーム部の後端側に円弧面を有する回動部が設けられ、
前記アーム部が最前方に進出するとともに前記円弧面が係止され、前記回動部中心に正逆回動自在に支持される局部洗浄装置。
【請求項６】
請求項１から請求項５のいずれか一項に記載の局部洗浄装置において、
前記シャッタアームが、前記軸部の両端側にそれぞれ先端を接続して平行に突出する一対の前記アーム部を備えて形成されている局部洗浄装置。
【請求項７】
請求項４記載の局部洗浄装置において、
前後方向に延設され、前記リブが係合して前記アーム部を前後方向に案内するガイド溝を備えている局部洗浄装置。
【発明の詳細な説明】
【技術分野】
【０００１】
本発明は、局部洗浄装置に関する。
【背景技術】
【０００２】
従来、洗浄大便器には、用便後に局部を洗浄するための局部洗浄装置を備えたものがある。局部洗浄装置は、リモコン操作などに応じ、ノズル開口部を通じて便器本体の内側とカバーケース及びノズルカバーの間で進退・出没する局部洗浄ノズルを備えている。そして、局部洗浄ノズルが進出とともにノズル開口部を開閉するシャッタを押圧傾動させて開き、便器本体の内側に進出した局部洗浄ノズルの先端部から洗浄水が吐出することによって局部を洗浄することができる（例えば、特許文献１参照）。
【０００３】
また、この水洗大便器においては、シャッタが局部洗浄ノズルに押圧されて一方向に回動しノズル開口部を開くように構成されている。すなわち、シャッタは、ノズル開口部を開く際にその前面を上方に向けるように回動する。これにより、進出した局部洗浄ノズルで局部を洗浄した際に、開動作してノズル開口部の上方に配されたシャッタによって汚物、洗浄水の飛沫などが局部洗浄ノズルにかかったり、ノズル開口部に入り込むことを抑止できる。
【先行技術文献】
【特許文献】
【０００４】
【特許文献１】特開２００７−３２１４４２号公報
【発明の概要】
【発明が解決しようとする課題】
【０００５】
しかしながら、上記従来の局部洗浄装置のように一方向のみにシャッタが回動する場合には回動させるための部材に特に工夫を凝らす必要はないが、上下の二方向にシャッタを回動させる場合には安定して動かすための工夫が必要になる。
【０００６】
本発明は、上記事情に鑑み、シャッタを二方向に回動させる場合でも安定して動かすことが可能な局部洗浄装置を提供することを目的とする。
【課題を解決するための手段】
【０００７】
上記の目的を達するために、この発明は以下の手段を提供している。
【０００８】
本発明の局部洗浄装置は、ノズル開口部を通じて出没可能に設けられ、前方に進出した状態で先端部から洗浄水を吐出させ、局部を洗浄するための局部洗浄ノズルと、前記ノズル開口部を開閉するためのシャッタ開閉機構とを備え、前記シャッタ開閉機構が、横方向に延びる軸部及び該軸部から前後方向に延びるアーム部を有し、前記アーム部を前後方向に進退自在に支持して配設されるシャッタアームと、前記シャッタアームに取り付けられて前記ノズル開口部を正逆回動自在に開閉するシャッタとを備えて構成されていることを特徴とする。
【０００９】
この発明においては、前後方向に進退自在に支持されるシャッタアームにノズル開口部を開閉するシャッタを正逆回動自在に取り付けて設けることによって、シャッタアームを前方に進出させるとともにシャッタをノズル開口部から前方に離間してノズル開口部を開くことができる。また、これとともに、シャッタを正逆回動させることができ、シャッタをノズル開口部に対して上方と下方の二方向に回動させてノズル開口部を開くことができる。
これにより、シャッタを二方向に回動させる場合でも安定して動かすことが可能になる。
【００１０】
また、本発明の局部洗浄装置においては、前記シャッタアームに正逆回動自在に取り付けられたシャッタ受けを備え、前記シャッタ受けが回動するとともに前記シャッタ受けに押圧されて前記シャッタが前記シャッタ受けとともに回動するように構成されていることが望ましい。
【００１１】
この発明においては、シャッタとは個別に設けられたシャッタ受けを回動操作することによってシャッタを正逆回動させることができる。
【００１２】
さらに、本発明の局部洗浄装置においては、軸線を平行に配して前後方向に進退自在に並設した一対のシャッタ操作部材を備え、前記シャッタ受けの背面に、一方のシャッタ操作部材が前方に進出して当接し、前記シャッタアームを前方に進出させるとともに、前記シャッタ受け及び前記シャッタの背面が下方を向くように前記シャッタ受けを誘導して前記軸部の軸線周りの正方向に回動させる第１当接回動部と、他方のシャッタ操作部材が前方に進出して当接し、前記シャッタアームを前方に進出させるとともに、前記シャッタ受け及び前記シャッタの背面が上方を向くように前記シャッタ受けを誘導して前記軸部の軸線周りの逆方向に回動させる第２当接回動部とを備えていることがより望ましい。
【００１３】
この発明においては、一方のシャッタ操作部材を進出させて第１当接回動部を押圧することによってシャッタを背面が下方を向くようにノズル開口部の上方に正方向に回動させることができる。また、他方のシャッタ操作部材を進出させて第２当接回動部を押圧することによってシャッタを背面が上方を向くようにノズル開口部の下方に逆方向に回動させることができる。これにより、一方のシャッタ操作部材と他方のシャッタ操作部材の進出動作を制御するだけで、シャッタを上方と下方の任意の方向に自在に回動させてノズル開口部を開くことが可能になる。
【００１４】
さらに、本発明の局部洗浄装置においては、前記アーム部が、下方に突出するとともに前記アーム部の延設方向の前後方向に延びるリブを備えて形成されていることがより望ましい。
【００１５】
この発明においては、アーム部に下方に突出するとともに前後方向に延びるリブを備えていることによって、リブが下面に当接しながら前後方向前方にアーム部が進出するとき、アーム部の軸線方向を一定に保持し、下方に落下することなく安定的にアーム部を進出させることができる。これにより、例えばシャッタをノズル開口部の上方に回動させて開く際に、前方への進出動作から上方への回動動作に円滑に移行することが可能になる。
【００１６】
また、アーム部を前後方向後方に退避するとき、アーム部が下方に落下した状態であっても、リブが下面に当接して徐々にアーム部を持ち上げ、アーム部の軸線方向を一定に保持した状態で退避させることができる。これにより、例えばシャッタをノズル開口部の下方に回動させて開いた状態からシャッタを閉動させる際に、円滑にアーム部を退避させ、シャッタによってノズル開口部を閉じることが可能になる。
【００１７】
すなわち、支持突部及び傾斜部を有するリブをアーム部に備えることによって、円滑にシャッタを開閉動させることが可能になる。
【００１８】
さらに、本発明の局部洗浄装置においては、前記アーム部の後端側に円弧面を有する回動部が設けられ、前記アーム部が最前方に進出するとともに前記円弧面が係止され、前記回動部中心に正逆回動自在に支持されることが望ましい。
【００１９】
この発明においては、シャッタアームのアーム部の後端側に、アーム部が最前方に進出するとともに係止されて正逆回動自在に支持する回動部が設けられていることによって、アーム部が回動部中心に正逆回動して、シャッタを上方と下方の二方向のそれぞれに、円滑に且つ大きく回動させてノズル開口部を開くことが可能になる。
【００２０】
また、本発明の局部洗浄装置においては、前記シャッタアームが、前記軸部の両端側にそれぞれ先端を接続して平行に突出する一対の前記アーム部を備えて形成されていることが望ましい。
【００２１】
この発明においては、軸部の両端側にそれぞれアーム部が設けられて、シャッタアームが略コ字状に形成されていることにより、これら一対のアーム部で支持しながらシャッタアームを前後方向に円滑に進退させることが可能になる。
【００２２】
さらに、本発明の局部洗浄装置においては、前後方向に延設され、前記リブが係合して前記アーム部を前後方向に案内するガイド溝を備えていることが望ましい。
【００２３】
この発明においては、前後方向に延びるガイド溝にアーム部のリブを係合させることによって、シャッタアームを前後方向に案内して円滑に進退させることが可能になる。
【発明の効果】
【００２４】
本発明の局部洗浄装置においては、前後方向に進退自在に支持されたシャッタアームにシャッタを正逆回動自在に取り付けることで、シャッタをノズル開口部に対して上方と下方の二方向に回動させてノズル開口部を開くことができる。
【００２５】
これにより、シャッタを二方向に回動させる場合でも安定して動かすことが可能な局部洗浄装置を提供することができる。
【００２６】
また、例えば清掃などを行う際に、シャッタを背面が上方を向くように下方に回動させることができ、従来のシャッタが上方への一方向のみに回動する場合と比較し、清掃などのメンテナンスや、シャッタの着脱操作を容易に行うことが可能になる。
【図面の簡単な説明】
【００２７】
【図１】本発明の一実施形態に係る水洗大便器を示す斜視図である。
【図２】本発明の一実施形態に係る水洗大便器の便座部とカバーケースを取り除いた状態を示す斜視図である。
【図３】本発明の一実施形態に係る水洗大便器（局部洗浄装置）のカバーケースの内部を示す斜視図である。
【図４】本発明の一実施形態に係る水洗大便器（局部洗浄装置）のカバーケースの内部を示す斜視図である。
【図５】本発明の一実施形態に係る水洗大便器（局部洗浄装置）の局部洗浄ノズルを示す斜視図である。
【図６】本発明の一実施形態に係る水洗大便器（局部洗浄装置）の局部洗浄装置を示す斜視図である。
【図７】本発明の一実施形態に係る水洗大便器（局部洗浄装置）のシャッタユニットを示す斜視図である。
【図８】本発明の一実施形態に係る水洗大便器（局部洗浄装置）のシャッタユニットを示す斜視図であり、シャッタを上方に開いた状態を示す図である。
【図９】本発明の一実施形態に係る水洗大便器（局部洗浄装置）のシャッタユニットを示す斜視図であり、シャッタを下方に開いた状態を示す図である。
【図１０】本発明の一実施形態に係る水洗大便器（局部洗浄装置）のシャッタユニットのシャッタベースを示す斜視図である。
【図１１】本発明の一実施形態に係る水洗大便器（局部洗浄装置）のシャッタユニットのシャッタベースを示す分解斜視図である。
【図１２】本発明の一実施形態に係る水洗大便器（局部洗浄装置）のシャッタユニットのシャッタベースをノズルユニットに係合させてノズル開口部に設置した状態を示す側断面図である。
【図１３】本発明の一実施形態に係る水洗大便器（局部洗浄装置）のシャッタユニットのシャッタアームのアーム部とシャッタベースの接続部分を示す側断面図である。
【図１４】本発明の一実施形態に係る水洗大便器（局部洗浄装置）のシャッタユニットのシャッタアームを示す斜視図である。
【図１５】本発明の一実施形態に係る水洗大便器（局部洗浄装置）のシャッタユニットのシャッタアームの軸部にシャッタ受けを取り付けた状態を示す斜視図である。
【図１６】本発明の一実施形態に係る水洗大便器（局部洗浄装置）のシャッタユニットのシャッタを上方と下方の二方向に開いた状態を示す側面図である。
【図１７】本発明の一実施形態に係る水洗大便器（局部洗浄装置）のシャッタユニットのシャッタベースをノズル開口部に設置した状態を示す正面側からの斜視図である。
【図１８】本発明の一実施形態に係る水洗大便器（局部洗浄装置）のシャッタユニットのシャッタベースをノズル開口部に設置した状態を示す平面図である。
【図１９】本発明の一実施形態に係る水洗大便器（局部洗浄装置）のシャッタユニットのシャッタがノズル開口部を閉じた状態を示す側断面図である。
【図２０】本発明の一実施形態に係る水洗大便器（局部洗浄装置）のシャッタユニットのシャッタが上方に開いた状態を示す側断面図である。
【発明を実施するための形態】
【００２８】
以下、図１から図２０を参照し、本発明の一実施形態に係る局部洗浄装置について説明する。
【００２９】
はじめに、本実施形態の水洗大便器Ａは、図１及び図２に示すように、便器本体１と、便器本体１の後部側に設けられ、例えば使用者によるリモコン操作を検知して便器本体１内に洗浄水を吐出させる洗浄機構部２と、便座３ａ及び便蓋３ｂからなる便座部３とを備えて構成されている。
【００３０】
さらに、水洗大便器Ａは、図１から図３に示すように、用便後に局部を洗浄するための局部洗浄装置４を備えている。
【００３１】
便器本体１は、便鉢のボウル部１ａと、ボウル部１ａの上部に設けられ、便器本体１の内側に突出しつつ外周縁を形成するリム部１ｂとを備えて形成されている。
【００３２】
洗浄機構部２は、便器本体１の後部側に着脱可能に一体に設けられ、且つカバーケース６内に収容して設けられている。また、洗浄機構部２は、例えばリモコン操作によって洗浄水流路を開閉制御するコントロールバルブ、電磁バルブなどの開閉弁を備え、この開閉弁によって便器本体１のリム部１ｂに洗浄水を流すリム吐水、便器本体１のボウル部１ａ、封水部１ｃに洗浄水を流すジェット吐水の切替、吐水流量の制御が行えるように構成されている。
【００３３】
なお、カバーケース６は、便器本体１の後部上面に設置されるベース（ベースプレート）６ａと、ベース６ａに組み付けられて収容空間を形成するカバー（外殻体）６ｂとを備えて構成されている。
【００３４】
便座３ａ及び便蓋３ｂからなる便座部３は、図１及び図５に示すように、カバーケース６に着脱可能に接続し、横方向Ｔ１に延びる回動軸Ｏ１周り（上下方向）に回動自在に設けられている。
【００３５】
局部洗浄装置４は、図１から図５に示すように、洗浄機構部２とともにカバーケース６内に収容して設けられ、例えばリモコン操作によって便器本体１内に進出する局部洗浄ノズル７、８と、カバーケース６に設けられたノズル開口部９を開閉し、局部洗浄時に局部洗浄ノズル７、８の便器本体１内への進出動作に応じてノズル開口部９を開き、局部洗浄ノズル８、９がカバーケース６内に退避するとともにノズル開口部９を閉じて、汚物、洗浄水の飛沫などが局部洗浄ノズル７、８にかかったり、内部に入り込むことを防止するためのシャッタ１０とを備えている。
【００３６】
また、本実施形態において、局部洗浄装置４は、局部洗浄時に、リモコン操作などに応じて便器本体１の内側に局部洗浄ノズル７、８が進出するとともに、局部洗浄ノズル７、８の先端部がシャッタ１０の背面側を押圧してシャッタ１０が回動して開く。そして、便器本体１の内側に進出した局部洗浄ノズル７、８の先端部から洗浄水が吐出して局部を洗浄するように構成されている。局部洗浄後は、局部洗浄ノズル７、８が退避するとともにシャッタ１０の押圧状態が解除されて自動的にシャッタ１０が回動しノズル開口部９を閉じるように構成されている。
【００３７】
具体的に、本実施形態の局部洗浄装置４は、図２から図６に示すように、カバーケース６のベース６ａの中央に配置されたノズルユニット１１と、局部を洗浄するための温水をノズルユニット１１に供給する温水供給ユニットと、温風によって洗浄後の局部を乾燥させるための温風乾燥ユニット（温風乾燥装置）１２と、脱臭ユニット（脱臭装置）１３とを備えている。
【００３８】
ノズルユニット１１は、図５及び図６に示すように、肛門洗浄用ノズルとビデ用ノズルの一対の局部洗浄ノズル（ツインノズル）７、８と一対の局部洗浄ノズル７、８を内包するノズルカバー１５とを備えている。本実施形態の一対の局部洗浄ノズル７、８は、前方に向かうに従い漸次下方に傾斜し、互いに軸線Ｏ２方向を同方向に向けて平行に配設されている。また、各局部洗浄ノズル７、８は、下方に位置する先端部に洗浄水を吐出する吐出孔１６を備え、後端側から供給されて内部を流通した洗浄水が吐出孔１６から所定の方向に吐出するように構成されている。
【００３９】
また、一対の局部洗浄ノズル７、８はそれぞれ、略円柱棒状に形成され、ベース６ａの前面中央にノズル開口部９に対し、軸線Ｏ２方向（前後方向Ｔ２）に進退自在に設けられている。そして、これら一対の局部洗浄ノズル７、８はそれぞれ、洗浄時にノズル開口部９から前方に進出して便器本体１の内側に突出し、洗浄後にノズル開口部９を通じてノズルカバー１５及びカバーケース６内に退避して保持される。
ここで、本実施形態では前後方向Ｔ２は略前後の方向を含むものとして説明を行う。
【００４０】
例えば、一対の局部洗浄ノズル７、８はそれぞれ個別に、ラックピニオン機構によって軸線Ｏ２方向に進退する。すなわち、本実施形態では、各局部洗浄ノズル７、８の下面にラックが一体形成され、ラックをモータの回転軸に取り付けたピニオンに噛合して局部洗浄ノズル７、８が配設されている。
【００４１】
これにより、リモコン操作などに応じてモータ及びピニオンが一方向に回転すると、局部洗浄ノズル７、８が軸線Ｏ２方向前方に進出移動し、ノズル開口部９を通じて便器本体１の内側に突出する。また、リモコン操作などに応じてモータ及びピニオンが他方向に回転すると、局部洗浄ノズル７、８が軸線Ｏ２方向後方に退避移動し、ノズル開口部９を通じて局部洗浄ノズル７、８がノズルカバー１５及びカバーケース６内に収容される。
【００４２】
ここで、本実施形態の局部洗浄装置４においては、図２、図３、図６に示すように、一対の局部洗浄ノズル７、８がカバーケース６内に退避した状態でノズル開口部９を閉じて、汚物、洗浄水の飛沫などが局部洗浄ノズル７、８にかかったり、内部に入り込むことを防止し、図１、図４、図５に示すように、局部洗浄ノズル７、８の進出とともに回動してノズル開口部９を開くシャッタ１０がシャッタユニット（シャッタ開閉機構）１７に具備されている。
【００４３】
本実施形態のシャッタユニット１７は、図６から図９に示すように、カバーケース６のベース６ａのノズル開口部９に着脱可能に位置決め固定するためのシャッタベース２０と、シャッタベース２０に後端側を支持させて配設されるシャッタアーム２１と、シャッタアーム２１に着脱可能に且つ回動可能に接続して配設されるシャッタ受け２２と、シャッタ受け２２の前方に重ねて配設されるとともにシャッタアーム２１に着脱可能に且つ回動可能に接続して配設されるシャッタ１０とを備えて構成されている。
【００４４】
シャッタベース２０は、図１０、図１１、図１２、図１３（及び図６から図９）に示すように、シャッタユニット１７の最後部に設けられる第１ベース２３と、第１ベース２３の前面に着脱可能に取り付けられる第２ベース２４を備えている。
【００４５】
また、第１ベース２３は、本体部２３ａと、本体部２３ａの幅方向（横方向Ｔ１）両側部にそれぞれ設けられたアーム保持部２３ｂとを備えている。
【００４６】
第１ベース２３の本体部２３ａは、下端から上端側に凹み、局部洗浄装置４のノズルカバー１５を嵌合させる嵌合部（係合部）２５を備えている。また、第１ベース２３の本体部２３ａは、上端側の幅方向中央から両側部のそれぞれの側に所定の間隔をあけた位置に、背面から後方に延設された一対の凸部（係合部）２６を備え、これら一対の凸部２６の間にノズルカバー１５に形成された凸部を係合させることにより、ノズルカバー１５に係合するように構成されている。さらに、第１ベース２３の本体部２３ａは、その上端の幅方向両側部側に背面から前面に貫通するネジ挿通孔２７が設けられている（図１１参照）。
【００４７】
第１ベース２３の本体部２３ａの幅方向両側部にそれぞれ一体に配設されるアーム保持部２３ｂは、断面略方形状の筒状に形成され、前面側と背面側にそれぞれ開口するように前面側から背面側に向かう前後方向Ｔ２に中心軸線方向を向けて延設されている。
【００４８】
第２ベース２４は、本体部２４ａと、カバーケース６のベース６ａに係合するベース係合部（係合部）２４ｂと、本体部２４ａの幅方向両側部にそれぞれ設けられたアーム挿通部２４ｃとを備えて構成されている。
【００４９】
第２ベース２４の本体部２４ａは、幅方向中央を間にした左右に、前面から背面に貫通し、一対の局部洗浄ノズル７、８をそれぞれ挿通させて進退させるための一対のノズル挿通部２８を設けて形成されている。また、第２ベース２４の本体部２４ａは、その上端の幅方向両側に背面から前面側に凹み、背面に雌ネジの螺刻が施された雌ネジ孔が穿設されている。
【００５０】
図１０、図１１、図１３に示すように、第２ベース２４の本体部２４ａの幅方向両側部にそれぞれ設けられたアーム挿通部２４ｃは、前面側と背面側にそれぞれ開口するように前面側から背面側に向かう前後方向Ｔ２に延設されている。また、各アーム挿通部２４ｃの前端側には、上面から下方に延び、また下面から上方に延び、同心円の円弧面状に形成された上方回動係止面３１及び下方回動係止面３２が設けられている。
【００５１】
また、下方回動係止面３２には、幅方向略中央に、この下方回動係止面３２から下方に凹み、且つ後端から前端に延びるガイド溝３３が形成されている。
【００５２】
上記の第１ベース２３と第２ベース２４は、第１ベース２３の前面に第２ベース２４の背面を面接触させつつ所定の相対位置に配設した接合状態で互いに係合し、上下方向Ｔ３及び横方向Ｔ１の相対移動を規制した状態で保持される。
【００５３】
そして、第１ベース２３と第２ベース２４は、互いに係合した接合状態でネジ挿通孔２７と雌ネジ孔が連通し、第１ベース２３の背面側からネジ挿通孔２７にネジ３４を挿通するとともに第２ベース２４の雌ネジ孔に螺合させることによって着脱可能に接続される。
【００５４】
また、第１ベース２３と第２ベース２４を接続した状態で、第１ベース２３のアーム保持部２３ｂと第２ベース２４のアーム挿通部２４ｃが互いの中心軸線を同軸上に配して連通するように配設される。
【００５５】
また、図６に示すように、第１ベース２３と第２ベース２４を接続してなるシャッタベース２０は、カバーケース６のベース６ａ上の所定位置に配設すると、第２ベース２４のアーム挿通部２４ｃの上端側に設けられた雌ネジ孔２９がベース６ａに設けられたネジ挿通孔と連通し、ネジ挿通孔を通じて雌ネジ孔２９にネジ３０を締結することによってベース６ａの所定位置に固定するように構成されている。
【００５６】
シャッタアーム２１は、図１３、図１４に示すように、軸線Ｏ３方向を横方向Ｔ１に向けて配設される軸部３５と、軸部３５の両端部側のそれぞれに前端側（一端側）を接続し、軸部３５の軸線Ｏ３に直交する方向に且つ平行に延設される断面略方形状の一対のアーム部３６とを備えて略コ字状に形成されている。なお、アーム部３６は必ずしも断面略方形状で形成することに限定しなくてもよい。
【００５７】
本実施形態では、シャッタアーム２１の軸部３５が、円柱棒状に形成されるとともに、外面から突出し、シャッタ受け２２を保持するための係止片部３５ａを備えて形成されている。
【００５８】
アーム部３６の後端側（他端側）には、シャッタアーム２１をカバーケース内の後方に付勢するようにベース６ａとアーム部３６にバネ部材（不図示）をアーム保持部２３ｂの後端側の開口を通じて着脱可能に引っ掛けて接続するためのバネ接続部３６ａが突設されている。
【００５９】
また、一対のアーム部３６はそれぞれ、後端側に（バネ接続部３６ａよりも前端側）に、上面から上方に延び、また下面から下方に延び、同心円の円弧面状に形成された上方回動面３７ａ及び下方回動面３７ｂを備えた回動部３７が設けられている。この回動部３７の上方回動面３７ａ及び下方回動面３７ｂは、アーム挿通部２４ｃの上方回動係止面３１及び下方回動係止面３２と同じ曲率半径の円弧面として形成されている。
【００６０】
また、各アーム部３６は、下面の幅方向略中央に、下面から下方に突出し、アーム部３６の延設方向の前後方向Ｔ２に延びるリブ３８を備えている。リブ３８は、アーム部３６の先端よりも回動部３７側から、回動部３７よりも先端側までの所定の長さ範囲に設けられている。また、このリブ３８は、前端から突出長を一定にして後端側に延び、アーム部３６の進退時にアーム部３６の軸線Ｏ４方向（延設方向）の向きを一定に保持する支持突部３８ａと、支持突部３８ａから後端に向かうに従い突出長が小になる傾斜部３８ｂとを備えて形成されている。
【００６１】
シャッタ受け２２は、図８、図９、図１５に示すように、正面視で横長の略矩形板状に形成されている。また、シャッタ受け２２は、短手方向の上下方向略中央に、前面から背面側に凹み、長手方向の横方向一側端部から他側端部まで延びる回転軸嵌合部２２ａを備えている。シャッタ受け２２の前面には、回転軸嵌合部２２ａ上に僅かに突出する係止片部２２ｂが回転軸嵌合部２２ａを挟んで上側と下側にそれぞれ複数設けられている。
【００６２】
また、シャッタ受け２２には、回転軸嵌合部２２ａよりも下方の両側端部側にそれぞれ、側端部から横方向Ｔ１に突出する回転規制部２２ｃが設けられている。
【００６３】
さらに、シャッタ受け２２の背面には、ノズルユニット１１の肛門洗浄用の一方の局部洗浄ノズル（一方のシャッタ操作部）７が前方に進出した際にこの一方の局部洗浄ノズル７の先端部が当接する位置に第１当接回動部４０、ビデ用ノズルの他方の局部洗浄ノズル（他方のシャッタ操作部）８が前方に進出した際にこの他方の局部洗浄ノズル８の先端部が当接する位置に第２当接回動部４１がそれぞれ設けられている。
【００６４】
第１当接回動部４０と第２当接回動部４１はそれぞれ、シャッタ受け２２の背面から後方に突出して形成されている。第１当接回動部４０は、一方の局部洗浄ノズル７が当接する部分に下方に向かうに従い漸次背面に近づく傾斜面４０ａを備えて形成されている。第２当接回動部４１は、他方の局部洗浄ノズル８が当接する部分が下方に向かうに従い漸次背面から後方に離れる逆傾斜面４１ａを備えて形成されている。
【００６５】
シャッタ１０は、図５から図８に示すように、横長の正面視略長方形状で形成されるとともに、ノズル開口部９を閉じた状態における上下方向中央部が前方に僅かに膨出するように湾曲する断面略円弧状に形成されている。
【００６６】
次に、本実施形態の温水供給ユニットは、ノズルユニット１１の各局部洗浄ノズル７、８に配管で接続されている。そして、温水供給ユニットは、制御基板からの動作指令に基づいて駆動し、所定の温度に調温された温水を洗浄水として局部洗浄ノズル７、８に供給するように構成されている。
【００６７】
本実施形態の温風乾燥ユニット１２は、図３から図６に示すように、温風発生装置１２ａ及び温風ダクト１２ｂを備え、温風ダクト１２ｂがノズル開口部９に並んで開口する吹出口４２に接続して設けられている。
【００６８】
温風発生装置１２ａは、図３に示すように、温風ダクト１２ｂの途中に設けられたファン１２ｃと、温風ダクト１２ｂのファン１２ｃよりも吹出口４２側に設けられたヒータ１２ｄとを備え、ファン１２ｃの駆動によって吸い込んだ空気（外気）が温風ダクト１２ｂを流通し、この空気をヒータ１２ｄで所定の温度に加熱するとともに吹出口４２から前方の所定の方向、位置に吹き出すように構成されている。
【００６９】
次に、本実施形態の脱臭ユニット１３は、脱臭ダクト１３ａと、脱臭ダクト１３ａの中途に設けられたファン（送風機）１３ｂと、ファン１３ｂよりも上流側の脱臭ダクト１３ａ内に配置された脱臭カートリッジ１３ｃと、ファン１３ｂよりも下流側に配置された除菌ユニット１３ｄとを備えて構成されている。
【００７０】
脱臭ダクト１３ａは、図３から図６に示すように、ノズル開口部９に並んで開口する吸込口４３（本実施形態では吹出口４２と上下に並設）に上流側の一端を接続し、ノズル開口部９に並んで開口する吹出口４４に下流側の他端を接続して設けられている。
【００７１】
脱臭カートリッジ１３ｃは、例えば、活性炭等の吸着型の脱臭剤を備え、通過する空気に含まれる臭気を脱臭剤によって取り除く。なお、脱臭剤は、脱臭が可能であれば特に限定する必要はない。例えば触媒であってもよく、光触媒のように紫外線等の光線を照射することによって物質を分解する分解型の脱臭剤であってもよい。
【００７２】
除菌ユニット１３ｄは、例えば、除菌イオンを発生させ、浮遊菌の繁殖を抑制し、且つ除菌するものであり、空気を電離させてプラスイオンとマイナスイオンを生じさせ、そのプラスイオンとマイナスイオンにより浮遊菌を取り囲んで不活化するものが好適である。
【００７３】
そして、上記のように構成した本実施形態の局部洗浄装置４、水洗大便器Ａでは、まず、図１０、図１１、図１３に示すように、シャッタベース２０の第１ベース２３の前面に第２ベース２４の背面を面接触させつつ係合させ、第１ベース２３と第２ベース２４を接合状態にする。このとき、シャッタアーム２１の各アーム部３６を第１ベース２３と第２ベース２４の幅方向両側端部にそれぞれ設けられて互いに連通する一対のアーム保持部２３ｂ（及びアーム挿通部２４ｃ）の空間内に嵌め込むように配置しながら、第１ベース２３と第２ベース２４を係合させ、互いに連通する第１ベース２３の本体部２３ａのネジ挿通孔２７と第２ベース２４の本体部２４ａの雌ネジ孔にネジ３４を挿入して螺合させることによって、第１ベース２３と第２ベース２４を一体に接続する。
【００７４】
このように第１ベース２３と第２ベース２４を接続すると、図１３、図１４、図１５に示すように、シャッタアーム２１の軸部３５がその軸線Ｏ３方向を横方向Ｔ１に向けて配設されるとともに、各アーム部３６がアーム保持部２３ｂ及びアーム挿通部２４ｃの空間内で、前後方向Ｔ２に進退自在に保持される。
【００７５】
また、第１ベース２３のアーム挿通部２４ｃの上方回動係止面３１、下方回動係止面３２の上下の円弧面に、シャッタアーム２１のアーム部３６の後端側に設けられた回動部３７の円弧面状の上方回動面３７ａ、下方回動面３７ｂが当接することによって、各アーム部３６がアーム保持部２３ｂ及びアーム挿通部２４ｃの空間内で、前後方向Ｔ２に進退自在に保持される。さらに、図１３、図１４、図１５、図１６に示すように、これら上方回動係止面３１、下方回動係止面３２と上方回動面３７ａ、下方回動面３７ｂが面接触しつつ摺動することによって、各アーム部３６が上下方向に回動自在に保持される。
【００７６】
また、各アーム部３６に設けられたリブ３８がアーム挿通部２４ｃの下方回動係止面３２に設けられたガイド溝３３に係合することによって、各アーム部３６が軸線Ｏ４方向に沿う前後方向Ｔ２に案内されて進退する。さらに、リブ３８がガイド溝３３に係合していることによって、シャッタアーム２１がアーム部３６の軸線Ｏ４方向をアーム保持部２３ｂ及びアーム挿通部２４ｃの軸線方向に沿う前後方向Ｔ２に沿うように保持される。すなわち、リブ３８がガイド溝３３に係合していることによって、シャッタアーム２１などの自重によってアーム部３６が下方に傾くことがないようにしつつアーム保持部２３ｂ及びアーム挿通部２４ｃの空間内で進退自在に保持される。
【００７７】
ここで、本実施形態のリブ３８は、後端側に、後端に向かうに従いその突出長が小となる傾斜部（Ｒ形状部）３８ｂを備えて形成されている。これにより、アーム部３６が前方に進出し、傾斜部３８ｂのみがガイド溝３３に係合した状態になると、アーム部３６が前方に進出する従いアーム部３６が下方に傾斜してゆく。そして、さらに前方に進出して傾斜部３８ｂがガイド溝３３から外れると、上方回動係止面３１、下方回動係止面３２と上方回動面３７ａ、下方回動面３７ｂが面接触し、各アーム部３６が上下方向Ｔ３に回動自在に保持される。
【００７８】
次に、上記のように第１ベース２３と第２ベース２４を組み付けてシャッタベース２０とシャッタアーム２１を接続した段階で、シャッタアーム２１の軸部３５を回転軸嵌合部２２ａに嵌め込み、互いの係止片部２２ｂ、３５ａをそれぞれ係合させて、シャッタアーム２１の軸部３５にシャッタ受け２２を着脱可能に取り付ける。また、係止片部２２ｂ、３５ａによってシャッタアーム２１の軸部３５の所定位置にシャッタ受け２２が取り付けられ、シャッタ受け２２の側端部から横方向Ｔ１に突出する回転規制部２２ｃがシャッタアーム２１のアーム部３６と上下方向Ｔ３に重なる位置に配される。
【００７９】
これにより、図８、図９、図１３、図１４、図１５、図１６に示すように、シャッタ受け２２は、シャッタアーム２１の軸部３５の軸線Ｏ３周りに回動自在に配設される。また、回動時にアーム部３６に回転規制部２２ｃが当接することで背面が前方に向くことがないようにその回転範囲（回転量）を規制した状態で配設される。
【００８０】
ここで、シャッタ受け２２（及びシャッタアーム２１（軸部３５））をポリエチレン樹脂などを用いて形成することによって、後述の局部洗浄ノズル７、８の当接時や、回動時に摩耗や異音が発生しないようにすることができる。
【００８１】
次に、図６、図１７、図１８に示すように、シャッタベース２０の第１ベース２３の本体部２３ａの嵌合部２５をノズルカバー１５に嵌合させ、且つシャッタベース２０の第１ベース２３の本体部２３ａの一対の係合凸部２６の間にノズルカバー１５の凸部を係合させて、シャッタユニット１７（シャッタベース２０、シャッタアーム２１、シャッタ受け２２）をベース６ａのノズル開口部９に設置する。
【００８２】
また、シャッタユニット１７をベース６ａのノズル開口部９に設置すると、第２ベース２４のアーム挿通部２４ｃの上端側に設けられた雌ネジ孔２９とカバーケース６のベースのネジ挿通孔とが連通する。ネジ挿通孔を通じて雌ネジ孔２９にネジ３０を締結することにより、シャッタユニット１７がベース６ａの所定位置に固定される。
【００８３】
そして、シャッタユニット１７がベース６ａの所定位置に固定されることで、シャッタベース２０に嵌合、係合したノズルカバー１５（ノズルユニット１１）がシャッタユニット１７によってその上下左右の位置を所定の位置に位置決めして保持される。さらに、このとき、シャッタベース２０とノズルユニット１１は、互いの接続部分に大きな隙間が生じないように、すなわち互いの接続面同士が面接触するようにして接続した状態で保持される。
【００８４】
次に、シャッタ受け２２の前面と背面を対向させるようにしてシャッタ１０をシャッタアーム２１の軸部３５の両端側（アーム部３６の先端側）に着脱可能に且つ軸線Ｏ３周りに回動自在に係合させて取り付ける。シャッタ１０を取り付けた段階で、アーム部３６の他端側（後端側）のバネ接続部３６ａに引っ掛けてバネ部材をベース６ａとアーム部３６に接続する。
【００８５】
これにより、バネ部材によってシャッタアーム２１をカバーケース６内の後方に付勢する力が作用し、各アーム部３６がアーム挿通部２４ｃ及びアーム保持部２３ｂの空間内の後方に退避して収容され、軸部３５及びシャッタ受け２２がシャッタベース２０の前面に近接配置され、シャッタ１０がシャッタ受け２２とともにその背面をシャッタベース２０の前面に対向させるようにして近接配置される。よって、この状態で、シャッタ１０が前面を便器本体１の内側に向け、ノズル開口部９を閉塞する。
【００８６】
また、本実施形態では、シャッタ１０が横長に形成されており、ノズル開口部９とともに、温風乾燥ユニット１２、脱臭ユニット１３の吸込口４３、吹出口４２、４４も同時に閉塞するように構成されている。
【００８７】
次に、本実施形態の水洗大便器Ａで用便後、局部洗浄装置４で局部の洗浄を行う手法について説明する。
【００８８】
まず、用便後に、例えば使用者が肛門洗浄ボタンをリモコン操作すると、これを制御装置が検知するとともに動作指令を出し、モータ及びピニオンが一方向に回転して肛門洗浄用ノズルである一方の局部洗浄ノズル７が前方に進出する。
【００８９】
このとき、図６、図８、図９、図１６に示すように、シャッタ受け２２の背面には、一方の局部洗浄ノズル７に対向する位置に下方に向かうに従い漸次背面に近づく傾斜面４０ａを備えた第１当接回動部４０が設けられている。このため、一方の局部洗浄ノズル７が進出して第１当接回動部４０の傾斜面４０ａに先端が当接し、さらに進出すると、第１当接回動部４０の傾斜面４０ａが押圧され、図７、図１９に示すように第１当接回動部４０（傾斜面４０ａ）の形状に応じてシャッタ受け２２がその背面を下方に向けるように上方に回動する。
【００９０】
そして、このシャッタ受け２２に重ねてシャッタ１０が設けられているため、シャッタ受け２２に押圧されて従動し、シャッタ１０もその背面を下方に向けるように上方に回動する。
【００９１】
また、図６、図８、図９、図１３、図１６、図２０に示すように、アーム部３６にリブ３８が設けられ、リブ３８がアーム保持部２３ｂ及びアーム挿通部２４ｃに形成されたガイド溝３３に係合して案内されることで、一方の局部洗浄ノズル７の進出とともに前方に向けて好適にシャッタアーム２１ひいてはシャッタ受け２２、シャッタ１０が進出する。
【００９２】
そして、一方の局部洗浄ノズル７がさらに進出するとともに、アーム部３６の回動部３７の円弧面状の上方回動面３７ａ、下方回動面３７ｂがシャッタベース２０の上方回動係止面３１、下方回動係止面３２に面接触し、アーム部３６がその先端側を上げるように回動部３７周りに円滑に回動する。
【００９３】
このとき、リブ３８の支持突部３８ａがガイド溝３３に係合していることによって、アーム部３６が前方に進出するときのアーム部３６ひいてはシャッタ受け２２、シャッタ１０が下がってしまうことない。これにより、第１当接回動部４０の傾斜面４０ａを一方の局部洗浄ノズル７の先端部で押圧しながら進出し、アーム部３６の回動部３７の上方回動面３７ａ、下方回動面３７ｂがシャッタベース２０の上方回動係止面３１、下方回動係止面３２に面接触し、確実にアーム部３６を回動部３７周りに円滑に回動させることができる。
【００９４】
すなわち、本実施形態の水洗大便器Ａにおいては、一方の局部洗浄ノズル７が進出すると、自動的に、シャッタ１０がアーム部３６とともに回動部３７周りに上方に回動し、且つその背面を下方に向けるようにシャッタアーム２１の軸部３５の軸線Ｏ３周りにシャッタ受け２２とともに回動する。
【００９５】
このようにしてノズル開口部９が開き、便器本体１の内側に進出した一方の局部洗浄ノズル７の先端部から温水供給ユニットの駆動によって洗浄水の温水が吐出し、局部を洗浄することができる。また、この洗浄時には、ノズル開口部９の上方に且つ一方の局部洗浄ノズル７の上方に、前面を上方に向けてシャッタ１０が覆い被さるように配されている。このため、汚物、洗浄水の飛沫などがシャッタ１０で遮られ、局部洗浄ノズル７、８やノズル開口部９、その内部にかかったり、入り込むことが防止される。
【００９６】
一方の局部洗浄ノズル７によって局部洗浄が完了すると、自動的にあるいは使用者のリモコン操作に応じた制御などによって、モータ及びピニオンが他方向に回転して肛門洗浄用ノズルである一方の局部洗浄ノズル７が後方に退避する。また、一方の局部洗浄ノズル７が後方に退避すると、シャッタアーム２１のアーム部３６がバネ部材によって後方に付勢されているため、自動的にシャッタアーム２１が後方に退避する。
【００９７】
さらに、一方の局部洗浄ノズル７が後退し、後方に退避する際には、アーム部３６のリブ３８の後端側に傾斜部３８ｂが設けられているため、この傾斜部３８ｂが好適にガイド溝３３に再係合し、シャッタアーム２１が好適に後方に退避する。そして、一方の局部洗浄ノズル７がノズル開口部９を通じてカバーケース６に収容されるとともに、第１当接回動部４０の当接、押圧状態が解除され、シャッタアーム２１とともにシャッタ受け２２、シャッタ１０が後方に退避しつつ回動する。これにより、シャッタ１０がノズル開口部９を閉じて元の状態に戻る。
【００９８】
一方、例えば使用者がビデ洗浄ボタンをリモコン操作すると、これを制御装置が検知するとともに動作指令を出し、モータ及びピニオンが一方向に回転して肛門洗浄用ノズルである一方の局部洗浄ノズル７が前方に進出し、上記と同様に第１当接回動部４０の傾斜面４０ａを押圧してシャッタ受け２２、シャッタアーム２１を前方に進出させつつ上方に回動させ、背面が下方を向くようにシャッタ１０を上方に回動させてノズル開口部９が開く。
【００９９】
このビデ洗浄の際には、一方の局部洗浄ノズル７がシャッタ１０を開き、シャッタ１０の下方に配された状態で止まり、それ以上便器本体１の内側に進出しないようにする。
【０１００】
一方の局部洗浄ノズル７でシャッタ１０を開いた段階で、ビデ洗浄用ノズルである他方の局部洗浄ノズル８が前方に進出し、シャッタ１０に当接することなく便器本体１の内側の所定位置まで進出する。便器本体１の内側に進出した他方の局部洗浄ノズル８の先端部から温水供給ユニットの駆動によって洗浄水の温水が吐出し、局部を洗浄することができる。また、この洗浄時には、ノズル開口部９の上方に且つ一方の局部洗浄ノズル７及び他方の局部洗浄ノズル８の上方に、前面を上方に向けてシャッタ１０が覆い被さるように配されている。このため、洗浄水、汚物、洗浄水の飛沫などがシャッタ１０で遮られ、局部洗浄ノズル７、８やノズル開口部９、その内部に飛沫がかかったり、入り込むことが防止される。
【０１０１】
他方の局部洗浄ノズル８によって局部洗浄が完了すると、自動的にあるいは使用者のリモコン操作に応じた制御などによって、モータ及びピニオンが他方向に回転してビデ洗浄用ノズルである他方の局部洗浄ノズル８が後方に退避し、ノズル開口部９を通じてカバーケース６内の元の位置に戻る。
【０１０２】
これとともに、一方の局部洗浄ノズル７が後方に退避する。このとき、シャッタアーム２１のアーム部３６がバネ部材によって後方に付勢されているため、自動的にシャッタアーム２１が後方に退避する。
【０１０３】
さらに、一方の局部洗浄ノズル７が後退し、後方に退避する際には、アーム部３６のリブ３８の後端側に傾斜部３８ｂが設けられているため、この傾斜部３８ｂが好適にガイド溝３３に再係合し、シャッタアーム２１が好適に後方に退避する。そして、一方の局部洗浄ノズル７がノズル開口部９を通じてカバーケース６に収容されるとともに、第１当接回動部４０の当接、押圧状態が解除され、シャッタアーム２１とともにシャッタ受け２２、シャッタ１０が後方に退避しつつ回動する。これにより、シャッタ１０がノズル開口部９を閉じて元の状態に戻る。
【０１０４】
次に、例えば清掃、メンテナンスなどを行うために本実施形態の水洗大便器Ａのシャッタ１０を着脱する操作について説明する。
【０１０５】
本実施形態の水洗大便器Ａにおいては、シャッタ１０を着脱する際に、まず、使用者がシャッタ着脱ボタン（お掃除ボタン）を押すなどし、これを制御装置が検知すると、シャッタ着脱時のシャッタ着脱開モードになり、制御装置が動作指令を出してモータ及びピニオンが一方向に回転し、ビデ洗浄用ノズルである他方の局部洗浄ノズル８が前方に進出する。
【０１０６】
このとき、他方の局部洗浄ノズル８に対向する位置に、下方に向かうに従い漸次背面から離れる逆傾斜面４１ａを備えたシャッタ受け２２の第２当接回動部４１が設けられている。このため、図６、図９に示すように、他方の局部洗浄ノズル８が進出して第２当接回動部４１の逆傾斜面４１ａに先端部が当接し、さらに進出すると、第２当接回動部４１の逆傾斜面４１ａが押圧されてシャッタ受け２２、ひいてはシャッタ１０がその内面を上方に向けるように下方に回動する。
【０１０７】
また、図６、図８、図９、図１３、図１６に示すように、アーム部３６にリブ３８が設けられ、このリブ３８がアーム保持部２３ｂ及びアーム挿通部２４ｃに形成されたガイド溝３３に係合して案内されることで、他方の局部洗浄ノズル８の進出とともに前方に向けて好適にシャッタアーム２１ひいてはシャッタ１０が進出する。さらに、第２当接回動部４１の逆傾斜面４１ａを押圧しながら他方の局部洗浄ノズル８がさらに進出すると、アーム部３６の回動部３７の円弧面状の上方回動面３７ａ、下方回動面３７ｂがシャッタベース２０の上方回動係止面３１、下方回動係止面３２に面接触するとともに、リブ３８が傾斜部３８ｂに沿って徐々にガイド溝３３から外れて落ち、アーム部３６がその先端側を下げるように回動部３７周りに円滑に回動する。
【０１０８】
これにより、他方の局部洗浄ノズル８が進出すると、自動的に、アーム部３６が進出して、シャッタ１０がノズル開口部９を開いた開姿勢となる。さらに他方の局部洗浄ノズル８が進出すると、アーム部３６が回動部３７周りに下方に回動し、且つシャッタ１０がその背面を上方に向けるようにシャッタアーム２１の軸部３５の軸線Ｏ３周りにシャッタ受け２２とともに回動して、さらにノズル開口部９を開いた開姿勢となる。
なお、シャッタアーム２１は、回動部３７がシャッタベース２０の上方回動係止面３１、下方回動係止面３２に当接することによりシャッタ１０を開姿勢にした状態でそれ以上進出しない（できない）。
【０１０９】
また、このとき、シャッタ受け２２に側端部から横方向Ｔ１に突出する回転規制部２２ｃが設けられているため、この回転規制部２２ｃがアーム部３６に下側から当接することによって、シャッタ受け２２ひいてはシャッタ１０の回動が規制され、背面を上方に向けた開姿勢の状態でシャッタ１０（シャッタ受け２２）が保持される。
【０１１０】
本実施形態では、このように使用者がシャッタ着脱ボタンを押すなどするとともに、他方の局部洗浄ノズル８が進出動作して、自動的に背面を上方に向けるようにシャッタ１０が下方に回動して開く。このため、シャッタ１０をシャッタアーム２１の軸部３５の両端部側に接続した取付部（取付位置）が露出する。
【０１１１】
これにより、使用者がシャッタ１０を取り外す際にはシャッタ１０の取付位置を目視で確認しながら、例えばシャッタ１０の両端をもって下に引っ張ることによってシャッタ１０を取り外すことができる。
【０１１２】
なお、このシャッタ１０の取り外し時に、取り外し力が作用する方向へのシャッタ１０の移動が規制されている。すなわち、進出したシャッタアーム２１はそれ以上進出できない状態であり、且つ下方向に回動できない状態（下方向へ５度程度回動する遊びがあってもよい）で保持される。このため、シャッタ１０に力を加えた際にぐらつくことがなく、シャッタ１０を好適に（例えば小さな力で容易に）取り外すことが可能になる。
【０１１３】
また、シャッタ１０を取り付ける際にも、シャッタ１０の取付位置を目視で確認しながら係合させ、シャッタ１０を取り付けることができる。
【０１１４】
そして、シャッタ１０の着脱、清掃、メンテナンスなどが完了した段階で、使用者のリモコン操作などに応じた制御によって、モータ及びピニオンが他方向に回転してビデ洗浄用ノズルである他方の局部洗浄ノズル８が後方に退避し、ノズル開口部９を通じてカバーケース６内の元の位置に戻る。
【０１１５】
このとき、アーム部３６のリブ３８の後端側に傾斜部３８ｂが設けられているため、アーム部３６が下がった状態で退避しても、この傾斜部３８ｂが好適にガイド溝３３に再係合して案内されるとともに傾斜部３８ｂによって徐々にアーム部３６が持ち上がってゆき、シャッタアーム２１が好適に後方に退避する。そして、他方の局部洗浄ノズル８がノズル開口部９を通じてカバーケース６に収容されるとともに、第２当接回動部４１の当接、押圧状態が解除され、シャッタアーム２１とともにシャッタ受け２２、シャッタ１０が後方に退避しつつ回動する。これにより、シャッタ１０がノズル開口部９を閉じて元の状態に戻る。
【０１１６】
したがって、本実施形態の局部洗浄装置４においては、前後方向Ｔ２に進退自在に支持されるシャッタアーム２１に正逆回動自在に取り付けてシャッタ１０を設けることによって、シャッタ１０を前方に進出させるとともにシャッタ１０をノズル開口部９から前方に離間してノズル開口部９を開くことができる。また、これとともに、横方向Ｔ１に延びる軸部３５の軸線Ｏ３周りにシャッタ受け２２及びシャッタ１０を正逆回動させることができ、シャッタ１０をノズル開口部９に対して上方と下方の二方向に回動させてノズル開口部９を開くことができる。
【０１１７】
これにより、シャッタ１０を二方向に回動させる場合でも安定して動かすことが可能になる。
【０１１８】
また、シャッタ１０とは個別に設けられたシャッタ受け２２を回動操作することによってシャッタ１０を正逆回動させることができる。
【０１１９】
さらに、シャッタアーム２１の軸部３５に正逆回転自在に取り付けてシャッタ受け２２を設け、このシャッタ受け２２の前面側にシャッタ１０を設けるようにしたことで、シャッタ１０を取り外した状態でも、シャッタ受け２２によってノズル開口部９を閉じ、さらに局部洗浄ノズル７、８を被覆することができる。これにより、メンテナンスなどでシャッタ１０がない状態で局部洗浄ノズル７、８を動作させた場合であっても、従来と比較し、汚物や洗浄水の飛沫などが局部洗浄ノズル７、８にかかったり、ノズル開口部９から入り込むことを防止できる。
【０１２０】
また、一方の局部洗浄ノズル７を進出させて第１当接回動部４０を押圧することによってシャッタ１０を背面が下方を向くようにノズル開口部９の上方に正回動させることができる。また、他方の局部洗浄ノズル８を進出させて第２当接回動部４１を押圧することによってシャッタ１０を背面が上方を向くようにノズル開口部９の下方に正回動させることができる。これにより、一方の局部洗浄ノズル（一方のシャッタ操作部）７と他方の局部洗浄ノズル（他方のシャッタ操作部）８の進出動作を制御するだけで、シャッタ１０を上方と下方の任意の方向に自在に回動させてノズル開口部９を開くことが可能になる。よって、清掃などのメンテナンスや、シャッタ１０の着脱操作をより容易に行うことが可能になる。
【０１２１】
さらに、アーム部３６に下方に突出するとともに前後方向Ｔ２に延びるリブ３８を備えることによって、前後方向Ｔ２前方にアーム部３６が進出するとき、アーム部３６の軸線Ｏ４方向を一定に保持し、下方に落下することなく安定的にアーム部３６を進出させることができる。これにより、例えばシャッタ１０をノズル開口部９の上方に回動させて開く際に、前方への進出動作から上方への回動動作に円滑に移行することが可能になる。
【０１２２】
また、リブ３８が前端から突出長を一定にして後端側に延びる支持突部３８ａを備えていることによって、支持突部３８ａが下面に当接しながら前後方向Ｔ２前方にアーム部３６が進出することになり、確実にアーム部３６の軸線Ｏ４方向を一定に保持し、下方に落下することなく安定的にアーム部３６を進出させることができる。
【０１２３】
さらに、アーム部３６を前後方向Ｔ２後方に退避するとき、アーム部３６が下方に落下して状態であっても、傾斜部３８ｂから下面に当接して徐々にアーム部３６を持ち上げ、支持突部３８ａが下面に当接した段階でアーム部３６の軸線Ｏ４方向を一定に保持した状態で退避させることができる。これにより、例えばシャッタ１０をノズル開口部９の下方に回動させて開いた状態からシャッタ１０を閉動させる際に、円滑にアーム部３６を退避させ、シャッタ１０によってノズル開口部９を閉じることが可能になる。
【０１２４】
すなわち、リブ３８をアーム部３６に備えることによって、円滑にシャッタ１０を開閉動させることが可能になる。
【０１２５】
また、例えば、シャッタ１０の背面が上方を向くようにノズル開口部９の下方側にシャッタ１０を回動した状態でシャッタ１０を保持することで、シャッタ１０をシャッタアーム２１に着脱可能に取り付けた取付部を上から容易に目視で確認することができる。これにより、容易にシャッタ１０を取り外すことができ、従来のシャッタが上方への一方向のみに回動する場合と比較し、清掃などのメンテナンスや、シャッタ１０の着脱操作をさらに容易に行うことが可能になる。
【０１２６】
さらに、シャッタアーム２１のアーム部３６の後端側に、アーム部３６が最前方に進出するとともに係止されて正逆回動自在に支持する回動部３７が設けられていることによって、アーム部３６が回動部３７中心に正逆回動して、シャッタ受け２２ひいてはシャッタ１０を上方と下方の二方向のそれぞれに、円滑に且つ大きく回動させてノズル開口部９を開くことが可能になる。
【０１２７】
また、軸部３５の両端側にそれぞれアーム部３６が設けられて、シャッタアーム２１が略コ字状に形成されていることにより、これら一対のアーム部３６で支持しながらシャッタアーム２１を前後方向Ｔ２に円滑に進退させることが可能になる。
【０１２８】
さらに、前後方向Ｔ２に延びるガイド溝３３にアーム部３６のリブ３８を係合させることによって、シャッタアーム２１を前後方向Ｔ２に案内して円滑に進退させることが可能になる。
【０１２９】
以上、本発明に係る局部洗浄装置の一実施形態について説明したが、本発明は上記の一実施形態に限定されるものではなく、その趣旨を逸脱しない範囲で適宜変更可能である。
【０１３０】
例えば、本実施形態では、一方の局部洗浄ノズル７が一方のシャッタ操作部、他方の局部洗浄ノズル８が他方のシャッタ操作部であるものとして説明を行ったが、進退自在に設けられてシャッタ受け２２ひいてはシャッタ１０を正逆回動させる一対のシャッタ操作部は、必ずしも一対の局部洗浄ノズル７、８でなくもよく、一対の局部洗浄ノズル７、８とは別に設けるようにしてもよい。
【符号の説明】
【０１３１】
１      便器本体
１ａ    ボウル部
１ｂ    リム部
１ｃ    封水部
２      洗浄機構部
３      便座部
３ａ    便座
３ｂ    便蓋
４      局部洗浄装置
６      カバーケース
６ａ    ベース（ベースプレート）
６ｂ    カバー（外殻体）
７      一方の局部洗浄ノズル（肛門洗浄用ノズル／一方のシャッタ操作部）
８      他方の局部洗浄ノズル（ビデ用ノズル／他方のシャッタ操作部）
９      ノズル開口部
１０    シャッタ
１１    ノズルユニット
１２    温風乾燥ユニット（温風乾燥装置）
１２ａ  温風発生装置
１２ｂ  温風ダクト
１２ｃ  ファン
１２ｄ  ヒータ
１３    脱臭ユニット（脱臭装置）
１３ａ  脱臭ダクト
１３ｂ  ファン（送風機）
１３ｃ  脱臭カートリッジ（脱臭手段）
１３ｄ  除菌ユニット
１５    ノズルカバー
１６    吐出孔
１７    シャッタユニット（シャッタ開閉機構）
２０    シャッタベース
２１    シャッタアーム
２２    シャッタ受け
２２ａ  回転軸嵌合部
２２ｂ  係止片部
２２ｃ  回転規制部
２３    第１ベース
２３ａ  本体部
２３ｂ  アーム保持部
２４    第２ベース
２４ａ  本体部
２４ｂ  ベース係合部（係合部）
２４ｃ  アーム挿通部
２５    嵌合部（係合部）
２６    係合凸部（係合部）
２７    ネジ挿通孔
２８    ノズル挿通部
２９    雌ネジ孔
３０    ネジ
３１    上方回動係止面
３２    下方回動係止面
３３    ガイド溝
３４    ネジ
３５    軸部
３５ａ  係止片部
３６    アーム部
３６ａ  バネ接続部
３７    回動部
３７ａ  上方回動面
３７ｂ  下方回動面
３８    リブ
３８ａ  支持突部
３８ｂ  傾斜部
４０    第１当接回動部
４０ａ  傾斜面
４１    第２当接回動部
４１ａ  逆傾斜面
４２    吹出口（温風吹出口）
４３    吸込口
４４    吹出口
Ａ      水洗大便器
Ｏ１    回動軸
Ｏ２    軸線
Ｏ３    軸線
Ｏ４    軸線
Ｔ１    横方向
Ｔ２    前後方向
Ｔ３    上下方向
【図１】
0006502794.tif 000002
【図２】
0006502794.tif 000003
【図３】
0006502794.tif 000004
【図４】
0006502794.tif 000005
【図５】
0006502794.tif 000006
【図６】
0006502794.tif 000007
【図７】
0006502794.tif 000008
【図８】
0006502794.tif 000009
【図９】
0006502794.tif 000010
【図１０】
0006502794.tif 000011
【図１１】
0006502794.tif 000012
【図１２】
0006502794.tif 000013
【図１３】
0006502794.tif 000014
【図１４】
0006502794.tif 000015
【図１５】
0006502794.tif 000016
【図１６】
0006502794.tif 000017
【図１７】
0006502794.tif 000018
【図１８】
0006502794.tif 000019
【図１９】
0006502794.tif 000020
【図２０】
0006502794.tif 000021